(57)【特許請求の範囲】
【請求項１】
水道本管から分岐された水を増圧することで、建造物に水を供給する給水装置において、
並列に設けられた、前記水道本管から分岐された水を増圧する複数の第１増圧回路部及びバイパス回路部を有する第１ポンプユニットと、
前記第１ポンプユニットからの水を増圧し、且つ、その停止時に前記水の流路を形成可能な並列に複数の設けられた第２増圧回路部を有し、前記第１ポンプユニットと異なる階層に設けられるとともに、前記第１ポンプユニットの二次側に直列に接続された第２ポンプユニットと、
を備え、
前記第２ポンプユニットは、前記第１ポンプユニットより高い階層に配置され、
前記第１ポンプユニットの二次側であって、且つ、前記第１ポンプユニットと同階層に設けられた第１アキュムレータをさらに備え、
前記第２ポンプユニットは、その一次側であって、且つ、前記第２ポンプユニットと同階層に設けられた第２アキュムレータと、その二次側であって、且つ、前記第２ポンプユニットと同階層に設けられた第３アキュムレータと、を備えることを特徴とする給水装置。
【請求項２】
前記第２ポンプユニットは、異なる階層に直列に複数接続されることを特徴とする請求項１に記載の給水装置。
【請求項３】
前記第１ポンプユニットは、前記第１増圧回路部の二次側であって、且つ、前記第１アキュムレータの一次側に第１圧力タンクを備えることを特徴とする請求項１に記載の給水装置。
【請求項４】
前記第２ポンプユニットは、前記第２増圧回路部の二次側であって、且つ、前記第３アキュムレータの一次側に第２圧力タンクを備えることを特徴とする請求項１に記載の給水装置。
【請求項５】
水道本管から分岐された水を増圧することで、建造物に水を供給する給水装置において、
並列に設けられた、前記水道本管から分岐された水を増圧する複数の第１増圧回路部及びバイパス回路部を有する第１ポンプユニットと、
前記第１ポンプユニットからの水を増圧し、且つ、その停止時に前記水の流路を形成可能な並列に複数の設けられた第２増圧回路部を有し、前記第１ポンプユニットと異なる階層に設けられるとともに、前記第１ポンプユニットの二次側に直列に接続された第２ポンプユニットと、
を備え、
前記第２ポンプユニットは、前記第１ポンプユニットより高い階層に配置され、
前記第１ポンプユニットの二次側であって、且つ、前記第１ポンプユニットと同階層に設けられた第１アキュムレータをさらに備え、
前記第１ポンプユニットは、前記第１増圧回路部の二次側であって、且つ、前記第１アキュムレータの一次側に第１圧力タンクを備えることを特徴とする給水装置。
【発明の詳細な説明】
【技術分野】
【０００１】
本発明は、増圧して建造物に水を供給する給水装置に関する。
【背景技術】
【０００２】
現在、高層の建造物への水の給水方法として、水道本管に増圧給水ユニットを直結するとともに、増圧給水ユニットを直列に複数接続する給水装置が知られている（例えば、特許文献１参照）。このような給水装置は、直列に増圧給水ユニットを接続することで、水道本管からの水を高層階へ直接給水が可能となる。
【先行技術文献】
【特許文献】
【０００３】
【特許文献１】特開２００８−２２３２６９号公報
【発明の概要】
【発明が解決しようとする課題】
【０００４】
上述した給水装置では、以下の問題があった。即ち、上述した給水装置は、複数の増圧給水ユニットが用いられることから、製造コストが高くなり、安価なものが求められている。また、直列に複数増圧給水ユニットを接続する構成であるため、一部の増圧給水ユニットがメンテナンス等により停止すると、当該停止した増圧給水ユニットの二次側に水が供給されなくなり、断水することとなる。このため、一部の増圧給水ユニットのメンテナンス等があっても、断水が回避可能な給水装置も求められている。
【０００５】
また、直列に増圧給水ユニットを設ける場合には、上層の建造物内に増圧給水ユニットを設置する必要があることから、増圧給水ユニットの小型化も求められている。
【０００６】
そこで本発明は、小型化が可能であって、断水を極力回避可能な給水装置を提供することを目的とする。
【課題を解決するための手段】
【０００７】
前記課題を解決し目的を達成するために、本発明の給水装置は、次のように構成されている。
【０００８】
本発明の一態様として、水道本管から分岐された水を増圧することで、建造物に水を供給する給水装置において、並列に設けられた、前記水道本管から分岐された水を増圧する複数の第１増圧回路部及びバイパス回路部を有する第１ポンプユニットと、前記第１ポンプユニットからの水を増圧し、且つ、その停止時に前記水の流路を形成可能な並列に複数の設けられた第２増圧回路部を有し、前記第１ポンプユニットと異なる階層に設けられるとともに、前記第１ポンプユニットの二次側に直列に接続された第２ポンプユニットと、を備え、前記第２ポンプユニットは、前記第１ポンプユニットより高い階層に配置され、前記第１ポンプユニットの二次側であって、且つ、前記第１ポンプユニットと同階層に設けられた第１アキュムレータをさらに備え、前記第２ポンプユニットは、その一次側であって、且つ、前記第２ポンプユニットと同階層に設けられた第２アキュムレータと、その二次側であって、且つ、前記第２ポンプユニットと同階層に設けられた第３アキュムレータと、を備える。
本発明の一態様として、水道本管から分岐された水を増圧することで、建造物に水を供給する給水装置において、並列に設けられた、前記水道本管から分岐された水を増圧する複数の第１増圧回路部及びバイパス回路部を有する第１ポンプユニットと、前記第１ポンプユニットからの水を増圧し、且つ、その停止時に前記水の流路を形成可能な並列に複数の設けられた第２増圧回路部を有し、前記第１ポンプユニットと異なる階層に設けられるとともに、前記第１ポンプユニットの二次側に直列に接続された第２ポンプユニットと、を備え、前記第２ポンプユニットは、前記第１ポンプユニットより高い階層に配置され、前記第１ポンプユニットの二次側であって、且つ、前記第１ポンプユニットと同階層に設けられた第１アキュムレータをさらに備え、前記第１ポンプユニットは、前記第１増圧回路部の二次側であって、且つ、前記第１アキュムレータの一次側に第１圧力タンクを備える。
【発明の効果】
【０００９】
本発明によれば、小型化が可能であって、断水を極力回避可能な給水装置を提供することが可能となる。
【図面の簡単な説明】
【００１０】
【図１】本発明の一実施の形態に係る給水装置の構成を模式的に示す説明図。
【図２】同給水装置に用いられる第１増圧給水ユニットの構成を模式的に示す説明図。
【図３】同給水装置に用いられる第２増圧給水ユニットの構成を模式的に示す説明図。
【図４】本発明の変形例に係る給水装置に用いられる第１増圧給水ユニットの構成を模式的に示す説明図。
【発明を実施するための形態】
【００１１】
以下、本発明の一実施形態に係る給水装置１を図１乃至図３を用いて説明する。  
図１は本発明の一実施形態に係る給水装置１の構成を模式的に示す説明図、図２は同給水装置１に用いられる第１増圧給水ユニット１０の構成を模式的に示す説明図、図３は給水装置１に用いられる第２増圧給水ユニット３０の構成を模式的に示す説明図である。なお、図１中Ｅは地面、Ｇは建造物、Ｈは水の流れ方向、Ｐは水道本管、Ｔは給水口をそれぞれ示している。
【００１２】
給水装置１は、例えば、高層の建造物Ｇに設けられ、水道本管Ｐの分岐管５に直結されるとともに、複数の増圧給水ユニットを直列に接続し、且つ、それぞれ異なる階層に設置された、所謂直結増圧給水システムである。給水装置１は、それぞれの増圧給水ユニットにより、所定の高さの階層まで増圧した水を供給するとともに、その二次側に他の増圧給水ユニットが設けられている場合に、当該増圧給水ユニットへ水を供給可能に形成されている。
【００１３】
図１に示すように、給水装置１は、水道本管Ｐの分岐管５に接続されたメータユニット（量水器）６と、このメータユニット６の二次側に接続された第１増圧給水ユニット１０と、この第１増圧給水ユニット１０の二次側に直列に接続され第２増圧給水ユニット３０と、を備えている。
【００１４】
給水装置１は、第１増圧給水ユニット１０の二次側に設けられた第１アキュムレータ５１と、第２増圧給水ユニット３０の一次側に設けられた第２アキュムレータ５２と、第２増圧給水ユニット３０の二次側に設けられた第３アキュムレータ５３と、を備えている。
【００１５】
なお、本実施形態においては、給水装置１は、第１増圧給水ユニット１０の二次側に、２台の第２増圧給水ユニット３０を直列に接続した構成を用いて説明する。
【００１６】
メータユニット６は、第１増圧給水ユニット１０に、配管７を介して接続される。メータユニット６は、例えばメータの一次側と二次側とを分岐させてバイパス管を設けたメータバイパスユニットで形成されている。また、このようなメータユニット６は、メータの一次側にメータ側とバイパス管側に流路を切替可能な流路切替弁と、メータの二次側の流路を仕切る仕切弁とを有している。なお、例えばメータユニット６は、地面Ｅに設けられたメータ溝６ａに設けられ、蓋６ｂにより外気に露出しないように設置される。
【００１７】
第１増圧給水ユニット１０は、その二次側に給水配管１１を介して第２増圧給水ユニット３０の一が接続される。なお、給水配管１１には、各給水配管１１の中途部が複数に分岐し、その端部に蛇口等の各給水口Ｔが設けられる。第１増圧給水ユニット１０は、第１ポンプユニット１２と、この第１ポンプユニット１２に信号線Ｓを介して接続された制御盤１３と、を備えている。
【００１８】
図２に示すように、第１ポンプユニット１２は、その一次側が配管７に接続され、その二次側が建造物Ｇの低階層である階層ＦＬに設けられた各給水口Ｔ及び中階層である階層ＦＭに水を供給する第２増圧給水ユニット３０に給水配管１１を介して接続される。即ち、第１ポンプユニット１２は、建造物Ｇの階層ＦＬの給水口Ｔ及び階層ＦＭに供給する第２増圧給水ユニット３０に水を供給する。
【００１９】
第１ポンプユニット１２は、配管７に設けられた逆流防止装置１５と、逆流防止装置１５の二次側の配管７が分岐することで並列に設けられた複数の第１増圧回路部１６及びバイパス回路部１７と、第１増圧回路部１６及びバイパス回路部１７が合流した二次側の給水配管１１に設けられた第１圧力タンク１８と、を備えている。
【００２０】
また、第１ポンプユニット１２は、逆流防止装置１５の一次側並びに第１増圧回路部１６及びバイパス回路部１７の二次側にそれぞれ設けられた圧力センサ１９と、第１圧力タンク１８の二次側に設けられた流量センサ２０と、圧力センサ１９及び流量センサ２０の二次側に設けられた手動で開閉を行う仕切弁２１と、を備えている。このような第１ポンプユニット１２は、圧力センサ１９及び流量センサ２０で検知した情報に基づいて、制御盤１３により制御されることで、複数の第１増圧回路部１６による交互運転が行われる。
【００２１】
逆流防止装置１５は、減圧式の逆流防止装置である。第１増圧回路部１６は、例えば、二系統設けられる。第１増圧回路部１６は、一次側から、手動の仕切弁２２、モータが回転軸を介して接続された、羽根車を複数有する多段のポンプ２３、逆止弁２４及び仕切弁２２が順次接続されている。なお、モータは、制御盤１３に信号線Ｓを介して接続されており、制御盤１３により制御可能に形成されている。また、二系統の第１増圧回路部１６は同一の構成に形成されている。
【００２２】
バイパス回路部１７は、その中間位置に逆止弁２７を有している。第１圧力タンク１８は、第１増圧回路部１６及びバイパス回路部１７の二次側、且つ、仕切弁２１の一次側であって、第１増圧回路部１６及びバイパス回路部１７の二次側の圧力センサ１９の近傍に設けられる。なお、本実施の形態においては、第１圧力タンク１８は、第１増圧回路部１６及びバイパス回路部１７の二次側、且つ、圧力センサ１９の一次側に配置される。
【００２３】
圧力センサ１９は、それぞれ制御盤１３に接続され、第１増圧回路部１６及びバイパス回路部１７の一次側及び二次側の圧力を検知可能、且つ、当該検知した情報を制御盤１３に送信可能に形成されている。
【００２４】
流量センサ２０は、制御盤１３に接続され、第１増圧回路部１６及びバイパス回路部１７の二次側の流量を検知可能、且つ、当該検知した情報を制御盤１３に送信可能に形成されている。
【００２５】
制御盤１３は、インバータを有し、圧力センサ１９及び流量センサ２０で検知した情報に基づいて、複数の第１増圧回路部１６による交互運転制御を行う。
【００２６】
第２増圧給水ユニット３０は、第１増圧給水ユニット１０に、給水配管１１を介して接続される。また、第１増圧給水ユニット１０に接続された第２増圧給水ユニット３０は、その二次側に給水配管３１を介して第２増圧給水ユニット３０の一が接続される。また、最下流の第２増圧給水ユニット３０は、その二次側に給水配管３１が設けられる。これら給水配管３１には、各給水配管３１の中途部が複数に分岐し、その端部に蛇口等の各給水口Ｔが設けられる。
【００２７】
第２増圧給水ユニット３０は、第２ポンプユニット３２と、この第２ポンプユニット３２に信号線Ｓを介して接続された制御盤３３と、を備えている。
【００２８】
第２ポンプユニット３２は、給水配管３１に設けられた逆流防止装置３５と、逆流防止装置３５の二次側の給水配管３１が分岐することで並列に設けられた複数の第２増圧回路部３６と、第２増圧回路部３６が合流した二次側の給水配管３１に設けられた第２圧力タンク３８と、を備えている。また、第２ポンプユニット３２は、逆流防止装置１５の一次側及び第１圧力タンク１８の二次側に設けられた圧力センサ３９と、第２圧力タンク３８の二次側に設けられた流量センサ４０と、圧力センサ３９及び流量センサ４０の二次側に設けられた手動で開閉を行う仕切弁４１と、を備えている。
【００２９】
逆流防止装置３５は、減圧式、単式、又は、複式の逆流防止装置である。第２増圧回路部３６は、例えば、二系統設けられる。第２増圧回路部３６は、一次側から、手動の仕切弁４２、モータが回転軸を介して接続された、羽根車を複数有する多段のポンプ４３、逆止弁４４及び仕切弁４２が順次接続されている。
【００３０】
ポンプ４３は、ポンプ４３停止時に、水の流路を確保可能に形成されている。なお、ポンプ４３は、停止時に水が通過可能であれば、単段であっても、例えば、羽根車以外により水を増圧させる構成であってもよい。モータは、制御盤１３に信号線Ｓを介して接続されており、制御盤３３により制御可能に形成されている。また、二系統の第２増圧回路部３６は同一の構成に形成されている。
【００３１】
第２圧力タンク３８は、第２増圧回路部３６の二次側、且つ、仕切弁４１の一次側であって、第２増圧回路部３６の二次側の圧力センサ３９の近傍に設けられる。なお、本実施の形態においては、第２圧力タンク３８は、第２増圧回路部３６の二次側、且つ、圧力センサ３９の一次側に配置される。
【００３２】
圧力センサ３９は、それぞれ制御盤３３に接続され、第２増圧回路部３６の一次側及び二次側の圧力を検知可能、且つ、当該検知した情報を制御盤３３に送信可能に形成されている。
【００３３】
流量センサ２０は、制御盤３３に接続され、第２増圧回路部３６の二次側の流量を検知可能、且つ、当該検知した情報を制御盤３３に送信可能に形成されている。
【００３４】
制御盤３３は、インバータを有し、圧力センサ３９及び流量センサ４０で検知した情報に基づいて、複数の第２増圧回路部３６による交互運転制御を行う。
【００３５】
第１アキュムレータ５１は、第１増圧給水ユニット１０の二次側であって、且つ、第１増圧給水ユニット１０と同一階層に設けられる。なお、第１アキュムレータ５１は、第１増圧給水ユニット１０から吐出された水の脈動等を低減可能な容量であれば、単数であっても複数であってもよい。
【００３６】
第２アキュムレータ５２は、第２増圧給水ユニット３０の一次側にそれぞれ設けられる。また、第２アキュムレータ５２は、その設けられた第２増圧給水ユニット３０と同一階層に設けられる。第２アキュムレータ５２は、第１アキュムレータ５１と、その容量が同一に形成されている。なお、第２アキュムレータ５２は、第２増圧給水ユニット３０に供給される、換言すると吸い込まれる水の脈動等を低減可能な容量であって、第１アキュムレータ５１と同一容量あれば、単数であっても複数であってもよい。
【００３７】
第３アキュムレータ５３は、第２増圧給水ユニット３０の二次側にそれぞれ設けられる。また、第３アキュムレータ５３は、その設けられた第２増圧給水ユニット３０と同一階層に設けられる。第３アキュムレータ５３は、第１アキュムレータ５１及び第２アキュムレータと、その容量が同一に形成されている。なお、第３アキュムレータ５３は、第２増圧給水ユニット３０から吐出された水の脈動等を低減可能な容量であって、第１アキュムレータ５１及び第２アキュムレータ５２と同一容量あれば、単数であっても複数であってもよい。
【００３８】
また、第１アキュムレータ５１と第２アキュムレータ５２、及び、第３アキュムレータ５３と当該第３アキュムレータ５３の二次側の第２増圧給水ユニット３０の一次側に設けられる第２アキュムレータ５２は、それら封入圧力値が、配置される高低差を圧力換算した封入圧力値に設定されている。即ち、第１アキュムレータ５１及び当該第１アキュムレータ５１の二次側の直近の第２アキュムレータ５２では、その封入圧力値は、第１アキュムレータ５１が第２アキュムレータ５２よりも第２アキュムレータ５２の高さだけ高圧に設定されている。同様に、第３アキュムレータ５３は、その二次側の直近の第２アキュムレータ５２よりも、その封入圧力値が高圧に設定されている。
【００３９】
このように構成された給水装置１は、給水装置１が駆動されると、制御盤１３，３３によりモータを駆動させてポンプ２３，４３を作動し、水道本管Ｐから分岐された水を各階層ＦＬ，ＦＭ，ＦＨの給水口Ｔに供給することが可能となる。
【００４０】
具体的には、まず、第１増圧給水ユニット１０は、第１ポンプユニット１２に設けられたポンプ２３により、分岐管５から供給された水を供給先の給水口Ｔ及び二次側の第２増圧給水ユニット３０が設けられた各階層ＦＬ，ＦＭへ供給するのに必要な水圧に増圧し、その二次側に供給する。そして、図１に示すように、低層階である階層ＦＬに設けられた給水口Ｔに水が給水されることで、給水口Ｔから水が給水可能となる。
【００４１】
また、第１増圧給水ユニット１０の二次側の第２増圧給水ユニット３０が設けられた階層に揚水された水は、第２増圧給水ユニット３０へ供給される。第２増圧給水ユニット３０は、第２ポンプユニット３２に設けられたポンプ４３により、第１増圧給水ユニット１０から供給された水を、供給先の給水口Ｔ及び二次側の第２増圧給水ユニット３０が設けられた各階層へ供給するのに必要な水圧に増圧し、二次側に供給する。そして、図１に示すように、中層階である階層ＦＭに設けられた給水口Ｔに水が給水されることで、給水口Ｔから水が給水可能となる。
【００４２】
同様に、第２増圧給水ユニット３０の二次側に設けられた第２増圧給水ユニット３０により、高層階である階層ＦＨに供給するのに必要な水圧に増圧され、当該階層ＦＨに設けられた給水口Ｔに供給される。
【００４３】
このように構成された給水装置１によれば、直列に複数接続された第１増圧給水ユニット１０及び第２増圧給水ユニット３０により、高層階への給水が可能となる。また、給水装置１は、二台目以降の増圧給水ユニット、即ち、第２増圧給水ユニット３０にバイパス回路部を設けない構成とすることで、簡便な構成となり、給水装置１の小型化及び製造コストの低減とすることが可能となる。
【００４４】
また、バイパス回路部は、逆止弁等を有するため、故障等の不具合が発生する虞がある部品であることから、第２増圧給水ユニット３０は、バイパス回路部を有さない構成とすることで、メンテナンス（故障）の発生を低減させ、断水の可能性を低減させることが可能となり、信頼性を向上させることが可能となる。
【００４５】
また、第２増圧給水ユニット３０は、バイパス配管を有さない構成であるものの、ポンプ４３内に水の流路が形成されることから、停止している第２増圧回路部３６の内部が流路となり、バイパス機能を代替することが可能となる。
【００４６】
なお、停止している第２増圧回路部３６を、バイパス回路部として使用することで、流路抵抗が増大する虞もある。しかし、給水装置１は、第２増圧回路部３６の二次側であって、圧力センサ３９及び流量センサ４０の一次側に第２圧力タンク３８を設けるとともに、第２増圧給水ユニット３０の一次側及び二次側であって同階層に、第２アキュムレータ５２及び第３アキュムレータ５３を設ける構成である。このため、給水口Ｔからの給水、ポンプ２３の可変、及び、流路抵抗の増大による脈動等が発生しても、第２圧力タンク３８及び第２、第３アキュムレータ５２，５３により、圧力を安定させることが可能となる。
【００４７】
特に、ポンプ２３の運転を制御するための圧力センサ３９は、第２アキュムレータ５２の二次側、第３アキュムレータ５３の一次側に設けられるとともに、第２圧力タンク３８の二次側に設けられることから、当該圧力センサ３９で検出される圧力は、脈動等の影響が少なく、安定した圧力が検知される。このため、給水装置１は、安定してポンプ４３を制御することが可能となる。
【００４８】
また、第２ポンプユニット３２は、第１ポンプユニット３２と異なり、バイパス回路部を有さない構成であるため、損失水頭が増加し、第２ポンプユニット３２の吐出部（二次側）の圧力が低下した際のポンプ４３が加圧する圧力が増大する。
【００４９】
このポンプ４３が加圧する圧力が増大することで、第１ポンプユニット３２の吐出部（二次側）の圧力が低下する圧力変動の発生の要因となる。しかし、第１増圧給水ユニット１０の二次側であって、かつ、同階層に、第１アキュムレータ５１を設けることで、当該圧力変動を防止（緩衝）するとともに、給水配管１１内の圧力を安定させることで、圧力変動の少ない安定した水の供給が可能となる。
【００５０】
また、第１増圧回路部１６及び第２増圧回路部３６は、ポンプ２３，４３及び逆止弁２４，４４の一次側及び二次側にそれぞれ手動で開閉を行う仕切弁２２を設けることで、複数の第１増圧回路部１６及び第２増圧回路部３６の一部を停止してメンテナンスしても、他の第１増圧回路部１６及び第２増圧回路部３６を運転させることが可能となる。このため、メンテナンス時であっても、断水させることなく、第１ポンプユニット１２及び第２ポンプユニット３２により、水を二次側に供給することが可能となる。
【００５１】
また、給水装置１は、第１圧力タンク１８及び第２圧力タンク３８は、第１増圧回路部１６及び第２増圧回路部３６の二次側であって、当該二次側に設けられた圧力検出装置１９，３９の近傍に配置されることから、圧力検出装置１９，３９周囲の圧力変動を緩衝することが可能となる。これにより、当該圧力が安定することから、当該圧力検出装置１９，３９で検出される圧力の値も安定し、当該安定した圧力により第１増圧回路部１６及び第２増圧回路部３６を制御することが可能となる。
【００５２】
また、第１アキュムレータ５１、第２アキュムレータ５２及び第３アキュムレータ５３は、その容量が同一に形成され、且つ、封入圧力値が配置される高さを考慮して設定されることから、圧力変動に対して流入及び流出量を略等しくすることが可能となる。これにより、直列に接続された第１増圧給水ユニット１０及び第２増圧給水ユニット３０は、それぞれの吸込側圧力及び吐出側圧力の変動（脈動）を極力防止し、圧力の安定化が可能となる。
【００５３】
上述したように、本発明の給水装置１によれば、第２増圧給水ユニット３０にバイパス回路を設けず、複数の第２増圧回路部３６のみを設け、各圧力タンク１８，３８及び各アキュムレータ５１，５２，５３構成とすることで、小型化が可能であって、断水を極力回避することが可能となる。
【００５４】
なお、本発明は前記実施の形態に限定されるものではない。上述した例では、第１増圧給水ユニット１０及び第２増圧給水ユニット３０は、第１増圧回路部１６及び第２増圧回路部３６をそれぞれ二系統設ける構成を説明したがこれに限定されない。例えば、各増圧回路部１６．３６は三系統以上設ける構成であってもよい。なお、三系統以上設ける場合には、メンテナンス性の向上のために、流量センサ２０，４０は、逆止弁２４，４４及び逆止弁２４，４４の二次側の仕切弁２２，４２の間にそれぞれ設ける構成が望ましい。
【００５５】
また、上述した例では、第１増圧給水ユニット１０は、第１増圧回路部１６及びバイパス回路部１７の二次側に第１圧力タンク１８を設ける構成を説明したが、これに限定されない。例えば、図４に示す本実施形態の変形例に係る第１増圧給水ユニット１０Ａに示すように、第１増圧回路部１６及びバイパス回路部１７の一次側にさらに第１圧力タンク１８を設ける構成であってもよい。
【００５６】
また、上述した例では、第１圧力タンク１８及び第２圧力タンク３８は、第１増圧回路部１６及び第２増圧回路部３６の二次側であって、圧力検出装置１９，３９の一次側の例を説明したがこれに限定されない。例えば、第１圧力タンク１８及び第２圧力タンク３８は、圧力検出装置１９，３９の二次側であっても、第１増圧回路部１６及び第２増圧回路部３６の二次側、且つ、仕切弁２１，４１の一次側であればよい。即ち、第１圧力タンク１８及び第２圧力タンク３８は、圧力検出装置１９，３９の近傍に配置されていればよい。この他、本発明の要旨を逸脱しない範囲で種々変形実施可能である。
以下に、本願出願の当初の特許請求の範囲に記載された発明を付記する。
［１］  水道本管から分岐された水を増圧することで、建造物に水を供給する給水装置において、
並列に設けられた、前記水道本管から分岐された水を増圧する複数の第１増圧回路部及びバイパス回路部を有する第１ポンプユニットと、
前記第１ポンプユニットからの水を増圧し、且つ、その停止時に前記水の流路を形成可能な並列に複数の設けられた第２増圧回路部を有し、前記第１ポンプユニットと異なる階層に設けられるとともに、前記第１ポンプユニットの二次側に直列に接続された第２ポンプユニットと、
を備えることを特徴とする給水装置。
［２］  前記第２ポンプユニットは、前記第１ポンプユニットより高い階層に配置され、
前記第１ポンプユニットの二次側であって、且つ、前記第１ポンプユニットと同階層に設けられた第１アキュムレータをさらに備えることを特徴とする［１］に記載の給水装置。
［３］  前記第２ポンプユニットは、
その一次側であって、且つ、前記第２ポンプユニットと同階層に設けられた第２アキュムレータと、
その二次側であって、且つ、前記第２ポンプユニットと同階層に設けられた第３アキュムレータと、を備えることを特徴とする［２］に記載の給水装置。
［４］
前記第２ポンプユニットは、異なる階層に直列に複数接続されることを特徴とする［１］に記載の給水装置。
［５］  前記第１ポンプユニットは、前記第１増圧回路部の二次側であって、且つ、前記第１アキュムレータの一次側に第１圧力タンクを備えることを特徴とする［２］に記載の給水装置。
［６］  前記第２ポンプユニットは、前記第２増圧回路部の二次側であって、且つ、前記第３アキュムレータの一次側に第２圧力タンクを備えることを特徴とする［３］に記載の給水装置。
【符号の説明】
【００５７】
１…給水装置、５…分岐管、６…メータユニット、６ａ…メータ溝、６ｂ…蓋、７…配管、１０、１０Ａ…増圧給水ユニット、１１…給水配管、１２…第１ポンプユニット、１３…制御盤、１５…逆流防止装置、１６…第１増圧回路部、１７…バイパス回路部、１８…第１圧力タンク、１９…圧力センサ、２０…流量センサ、２１…仕切弁、２２…仕切弁、２３…ポンプ、２４…逆止弁、２７…逆止弁、３０…第１増圧給水ユニット、３１…給水配管、３２…第２ポンプユニット、３３…制御盤、３５…逆流防止装置、３６…増圧回路部、３８…第２圧力タンク、３９…圧力センサ、４０…流量センサ、４１…仕切弁、４２…仕切弁、４３…ポンプ、４４…逆止弁、５１…第１アキュムレータ、５２…第２アキュムレータ、５３…第３アキュムレータ、Ｇ…建造物、Ｐ…水道本管、Ｓ…信号線、Ｔ…給水口。
【図１】
0005841775.tif 000002
【図２】
0005841775.tif 000003
【図３】
0005841775.tif 000004
【図４】
0005841775.tif 000005